(57)【要約】      （修正有）【課題】デザイン性の優れたパネル体及び建築構成体を提供する。【解決手段】透光性を有する一枚のパネル１の一方の面と他方の面とに透かし模様２ａ，２ｂが印刷してあり、一方の面と他方の面の透かし模様２ａ，２ｂが異なっている。一方の面と他方の面の透かし模様は、全く別の模様であってもよいし、同じ模様を左右方向や上下方向にずらして印刷してもよい。一方の面と他方の面の透かし模様が異なっていることで、奥行き感、立体感を有し、デザイン性に優れたものとなる。【選択図】図４
2016135943.tif 000002
【特許請求の範囲】
【請求項１】
透光性を有する一枚のパネルの一方の面と他方の面とに透かし模様が印刷してあり、一方の面と他方の面の透かし模様が異なっていることを特徴とするパネル体。
【請求項２】
請求項１記載のパネル体を備えることを特徴とする建築構成体。
【発明の詳細な説明】
【技術分野】
【０００１】
本発明は、模様付きのパネル体と、そのパネル体を備える建築構成体に関する。
【背景技術】
【０００２】
間仕切り等に用いられるパネル体として、すりガラス調のものがあった。（例えば、非特許文献１参照）。このような従来のパネル体は、見た目が単調でデザイン性に乏しいものであった。
【先行技術文献】
【特許文献】
【０００３】
【非特許文献１】三協立山株式会社 三協アルミ社発行のカタログ「ＡＭｉＳ  ＡＬＵＭＩ  ＭＯＤＥＲＮ  ＩＮＴＥＲＩＯＲ  ＳＹＳＴＥＭ」（カタログＮｏ．ＳＴＪ０９６８Ａ Ｃ．１４．０３−１６０）、２０１４年３月、ｐ．５８−６７
【発明の概要】
【発明が解決しようとする課題】
【０００４】
本発明は以上に述べた実情に鑑み、デザイン性の優れたパネル体及び建築構成体の提供を目的とする。
【課題を解決するための手段】
【０００５】
上記の課題を達成するために請求項１記載の発明によるパネル体は、透光性を有する一枚のパネルの一方の面と他方の面とに透かし模様が印刷してあり、一方の面と他方の面の透かし模様が異なっていることを特徴とする。一方の面と他方の面の透かし模様は、全く別の模様であってもよいし、同じ模様を左右方向や上下方向にずらして印刷してもよい。
【０００６】
請求項２記載の発明による建築構成体は、請求項１記載のパネル体を備えることを特徴とする。
【発明の効果】
【０００７】
請求項１記載の発明によるパネル体は、透光性を有する一枚のパネルの一方の面と他方の面とに透かし模様が印刷してあり、一方の面と他方の面の透かし模様が異なっていることで、奥行き感、立体感を有し、デザイン性に優れたものとなる。
【０００８】
請求項２記載の発明による建築構成体は、請求項１に記載のパネル体を備えるので、パネル体に奥行き感、立体感を有し、デザイン性に優れたものとなる。
【図面の簡単な説明】
【０００９】
【図１】本発明の建築構成体の第１実施形態に係る引戸の正面図である。
【図２】同引戸の一部を拡大して示す正面図である。
【図３】（ａ）は同引戸のパネル体の透かし模様の素材である布の写真であり、（ｂ）は同布を一部折り曲げた状態の写真である。
【図４】第１実施形態の引戸のパネル体の写真であって、（ａ）は一方の面、（ｂ）は他方の面を示す。
【図５】図４と同じく第１実施形態の引戸のパネル体の写真で、模様の特徴部分に点線で目印を付けたものであり、（ａ）は一方の面、（ｂ）は他方の面を示す。
【図６】本発明の建築構成体の第２実施形態に係る引戸の正面図である。
【図７】同引戸の一部を拡大して示す正面図である。
【図８】第２実施形態の引戸のパネル体の写真であって、（ａ）は一方の面、（ｂ）は他方の面を示す。
【図９】図８と同じく第２実施形態の引戸のパネル体の写真で、模様の特徴部分に点線で目印を付けたものであり、（ａ）は一方の面、（ｂ）は他方の面を示す。
【図１０】透かし模様の素材の他の例（和紙）を示す写真である。
【発明を実施するための形態】
【００１０】
以下、本発明の実施の形態を図面に基づいて説明する。図１は本発明の建築構成体の第１実施形態に係る引戸４の正面図であり、図２はその引戸４の一部を拡大して示す正面図である。この引戸４は、アルミニウム合金の押出形材よりなる上框５と下框６と左右の竪框７，７を矩形に框組みし、その内側にパネル体３を装着して構成してある。
【００１１】
パネル体３は、図４，５に示すように、透明な樹脂製のパネル１の一方の面と他方の面に透かし模様２ａ，２ｂを印刷してあり、採光性と遮視性を兼ね備えたものとなっている。本パネル体は、一方の面の透かし模様２ａと他方の面の透かし模様２ｂが異ならせてあり、一方の面の透かし模様２ａ越しに他方の面の透かし模様２ｂが見えるようになっている。これにより、パネル体３に奥行き感、立体感を持たせている。
【００１２】
このパネル体３の製作手順を説明すると、まず透かし模様２ａ，２ｂの素になる素材を準備する。本実施形態の場合、当該素材は図３に示すような布８である。この布８は、細い繊維で織られた反対側が透けて見えるような非常に薄い布を用い、これに折れ目が曲線状でランダムになるようにプリーツ加工を行い、布が一重の部分８ａと布が二重ないし三重に重なった部分８ｂとを形成し、一枚の布８の中で光の透過性に濃淡のあるものとなっている。この布８をスキャナーでスキャンし、布８の画像データをパソコンに取り込む。画像データの形式は、ＴＩＦＦ、ＪＰＧ、ＧＩＦ等、任意の形式とすることができる。その後、透明な樹脂製のパネル１の一方の面と他方の面とに、布８の画像データをインクジェットプリンタにより印刷する。このとき、一方の面と他方の面には同じ布８の画像データを左右方向や上下方向に少しずらして印刷する。
こうして一方の面と他方の面の透かし模様２ａ，２ｂをずらすことで、図４，５に示すように、パネル体３を正面から見たときに、両面とも布が一重の部分８ａになったところ、片方の面は布が一重の部分８ａでもう片方の面は布が二重ないし三重に重なった部分８ｂになったところ、両面とも布が二重ないし三重に重なった部分８ｂになったところが生じ、光の透過性の濃淡がより複雑なものとなる。
【００１３】
以上に述べたように本引戸４のパネル体３は、透光性を有する一枚のパネル１の一方の面と他方の面とに透かし模様２ａ，２ｂが印刷してあり、一方の面と他方の面の透かし模様２ａ，２ｂが異なっている（ずれている）ことで、奥行き感、立体感を有し、デザイン性に優れたものとなる。透かし模様２ａ，２ｂは、光の透過性に濃淡のある素材（布８）から作成した画像データを印刷したものなので、布や紙などのやわらかみのある素材感を持たせることができ、且つ様々なバリエーションの透かし模様２ａ，２ｂを低コストで付加できる。
【００１４】
図６は本発明の建築構成体の第２実施形態に係る引戸４の正面図であり、図７はその引戸４の一部を拡大して示す正面図である。この引戸４は、パネル体３の透かし模様２ａ，２ｂが第１実施形態のものと異なっている。
【００１５】
第２実施形態の引戸４のパネル体３は、すりガラス調の面９に透明なインク１０を落として透かし模様２ａ，２ｂを形成している。摺りガラス調の面９は、表面がざらついた状態に加工されており、半透明に見える。一方、透明なインク１０を落とした部分は、表面が平滑になるので、無色透明に見える。透明なインク１０は、細かい四角形の点状の形でランダムに分散して配置され、一方の面と他方の面とで透明なインク１０の位置が異なっている。したがってパネル体３を正面から見ると、両面とも摺りガラス調の面９になったところ、片方の面は摺りガラス調の面９でもう片方の面は透明なインク１０を落とした部分になったところ、透明なインク１０を落とした部分どうしが重なったところが生じ、光の透過性の濃淡がより複雑なものとなる。なお本パネル体３は、両面とも摺りガラス調とした樹脂パネル１の一方の面と他方の面とに、インクジェットプリンタにより透明なインク１０を吹き付けることで得ることができる。
【００１６】
以上に述べたように第２実施形態の引戸４のパネル体１は、第１実施形態のものと同様に、透光性を有する一枚のパネル１の一方の面と他方の面とに透かし模様２ａ，２ｂが印刷してあり、一方の面と他方の面の透かし模様２ａ，２ｂが異なっていることで、奥行き感、立体感を有し、デザイン性に優れたものとなる。透かし模様２ａ，２ｂは、摺りガラス調の面９に透明なインク１０を落として形成したので、奥行き感、立体感を有するデザイン性に優れたパネル体３を低コストで製作できる。透明なインク１０の落とす形状、配置を変えることで、デザインにバリエーションを持たせられる。
【００１７】
本発明は以上に述べた実施形態に限定されない。第１実施形態では、透かし模様の素材として布を用いたが、これ以外にも例えば図１０に示すような和紙１１を用いることもできる。第２実施形態では、透明なインクを四角形状の形で落していたが、透明なインクで円形のドット柄を表現したり、ストライプやチェックの柄等とすることもできる。本発明は、引戸に限らず、ドア、窓、間仕切り、階段やベランダの手摺など、あらゆる建築構成体に適用することができる。
【符号の説明】
【００１８】
１  パネル
２ａ，２ｂ  透かし模様
３  パネル体
４  引戸（建築構成体）
【図１】
2016135943.tif 000003
【図２】
2016135943.tif 000004
【図３】
2016135943.tif 000005
【図４】
2016135943.tif 000006
【図５】
2016135943.tif 000007
【図６】
2016135943.tif 000008
【図７】
2016135943.tif 000009
【図８】
2016135943.tif 000010
【図９】
2016135943.tif 000011
【図１０】
2016135943.tif 000012